(57)【要約】【課題】ベース部に揺動自在なハンドル部を同一の電気錠表面で一体的に設け、電装品をベース部に収容することで、簡素な構造で耐久性に優れ、デザインの自由度を向上させることのできるプッシュプル型電気錠を提供する。【解決手段】プッシュプル型電気錠１１において、扉面に固定され扉面から浮上して扉面に沿う電気錠表面２５のうちの一部分である第１表面２７を有するベース部１３と、ベース部１３に収容される非接触リーダーと、電気錠表面２５のうち第１表面２７を除いた他部分である第２表面４１を有し揺動軸によってベース部１３に揺動自在に支持されるハンドル部１５と、ハンドル部１５の揺動軸と反対側の揺動先端部４９がベース部１３から扉面に沿う方向に突出されることで扉面と揺動先端部４９との間に形成される操作空間部１７と、を設けた。【選択図】  図１
2014037747.tif 000002
【特許請求の範囲】
【請求項１】
扉面に固定され前記扉面から浮上して前記扉面に沿う電気錠表面のうちの一部分である第１表面を有するベース部と、
前記ベース部に収容される非接触リーダーと、
前記電気錠表面のうち前記第１表面を除いた他部分である第２表面を有し揺動軸によって前記ベース部に揺動自在に支持されるハンドル部と、
前記ハンドル部の前記揺動軸と反対側の揺動先端部が前記ベース部から前記扉面に沿う方向に突出されることで前記扉面と前記揺動先端部との間に形成される操作空間部と、
を具備することを特徴とするプッシュプル型電気錠。
【請求項２】
請求項１記載のプッシュプル型電気錠であって、
前記第１表面と前記第２表面とが同一平面であることを特徴とするプッシュプル型電気錠。
【請求項３】
請求項１または２記載のプッシュプル型電気錠であって、
前記ベース部に電池ボックスが収容されることを特徴とするプッシュプル型電気錠。
【請求項４】
請求項１または２または３記載のプッシュプル型電気錠であって、
前記第１表面に施解錠状態を表示する状態表示部が設けられることを特徴とするプッシュプル型電気錠。
【請求項５】
請求項１，２，３，４のいずれか１つに記載のプッシュプル型電気錠であって、
前記第１表面に施解錠ボタンが設けられていることを特徴とするプッシュプル型電気錠。
【発明の詳細な説明】
【技術分野】
【０００１】
本発明は、扉面に台座が取り付けられるプッシュプル型電気錠に関する。
【背景技術】
【０００２】
施解錠装置には、レバーやグリップ、ハンドル等の操作部材の押すまたは引くという操作と、扉の開閉方向とを同じにして、ラッチボルトやデッドボルトの進退を可能とするプッシュプル錠がある。例えば特許文献１，２に開示のプッシュプル錠は、ラッチの係脱を室内外の操作部材で行なう。一方、施解錠装置には、電動モーターによって施解錠を行う電気錠がある。例えば特許文献３，４に開示の電気錠は、内蔵アンテナにて非接触で信号の送受を行い、ボタンやスイッチの操作で施解錠を行なう。また、プッシュプル錠には、特許文献５，６に開示されるように、台座に略Ｔ字型となるハンドルを設けて、デザイン性に配慮したものもある。
【先行技術文献】
【特許文献】
【０００３】
【特許文献１】特開２００７−１６３９１号公報
【特許文献２】特開２００２−７０３８６号公報
【特許文献３】特許第４８８４８６０号公報
【特許文献４】特許第４９３６９１８号公報
【特許文献５】特公平０２−０５５５９１号公報
【特許文献６】特開２００７−１５４４９９号公報
【発明の概要】
【発明が解決しようとする課題】
【０００４】
しかしながら、特許文献１，２の施解錠装置は、扉面に対して揺動して動作する操作部材の構成のみであり、電気錠に対応させるためには、すなわち電動モーターや電池等の電源、リーダーなどの電装部品を別構造として設ける必要があり、構造が複雑となる。そして、操作部材に電装品を設ければ、電装品の耐久性に懸念が生じた。特許文献３，４の施解錠装置は、電気錠を構成しているが、一般的なドアハンドルであり、上記した扉の開閉方向と同方向を操作方向とするプッシュプル錠についての記載がない。プッシュプル錠はハンドル部と台座との結合が機械的であり、操作部材の可動部分に電装品が設けられると、その機械的動作による断線や動作不良の虞がある。また、特許文献５，６の施解錠装置は、デザイン性には優れるが、機械的な構成であり、特許文献１，２の施解錠装置と同様、台座に電装品を追加すると、台座が扉面より大きく突出し大型化して見栄えが低下する。
【０００５】
本発明は上記状況に鑑みてなされたもので、その目的は、ベース部に揺動自在なハンドル部を同一の電気錠表面で一体的に設け、電装品をベース部に収容することで、簡素な構造で耐久性に優れ、デザインの自由度を向上させることのできるプッシュプル型電気錠を提供することにある。
【課題を解決するための手段】
【０００６】
次に、上記の課題を解決するための手段を、実施の形態に対応する図面を参照して説明する。
本発明の請求項１記載のプッシュプル型電気錠１１は、扉面に固定され前記扉面から浮上して前記扉面に沿う電気錠表面２５のうちの一部分である第１表面２７を有するベース部１３と、
前記ベース部１３に収容される非接触リーダー２９と、
前記電気錠表面２５のうち前記第１表面２７を除いた他部分である第２表面４１を有し揺動軸４３によって前記ベース部１３に揺動自在に支持されるハンドル部１５と、
前記ハンドル部１５の前記揺動軸４３と反対側の揺動先端部４９が前記ベース部１３から前記扉面に沿う方向に突出されることで前記扉面と前記揺動先端部４９との間に形成される操作空間部１７と、
を具備することを特徴とする。
【０００７】
このプッシュプル型電気錠１１では、ベース部１３とハンドル部１５との二部品に大別構成することができ、電気錠に対応させるための電装品、例えば非接触リーダー２９を別体構成として設ける必要がなく、構造が複雑とならない。また、電装品がベース部１３に収容されるので、電装品がハンドル部１５に設けられる場合に比べ、断線や動作不良が生じ難くなる。さらに、ベース部１３の内方に電装品が収容されるので、ベース部１３の外側に電装品が付設される場合に比べ、外観形状の制約が少なくなる。
【０００８】
本発明の請求項２記載のプッシュプル型電気錠１１は、請求項１記載のプッシュプル型電気錠１１であって、
前記第１表面２７と前記第２表面４１とが同一平面であることを特徴とする。
【０００９】
このプッシュプル型電気錠１１では、一つの同一平面からなる電気錠表面２５が、ベース部１３の露出面となる第１表面２７と、ハンドル部１５の露出面となる第２表面４１とに区分され、一見では単一部材の表面となる。その電気錠表面２５の第２表面４１のみを掴んで操作すれば、第２表面４１を有したハンドル部１５が、ベース部１３に対して揺動変位し、操作力がベース部１３へ入力可能となる。
【００１０】
本発明の請求項３記載のプッシュプル型電気錠１１は、請求項１または２記載のプッシュプル型電気錠１１であって、
前記ベース部１３に電池ボックス５９が収容されることを特徴とする。
【００１１】
このプッシュプル型電気錠１１では、ベース部１３の露出面である第１表面２７の一部分が電池ボックス５９の蓋６１となり、この蓋６１が開けられることで、ベース部１３の内方に確保された電池ボックス５９の電池収容スペース６３が開放される。電池５７を電池収容スペース６３に収容した電池ボックス５９は、蓋６１によって覆われることで、外観から存在が分からなくなる。
【００１２】
本発明の請求項４記載のプッシュプル型電気錠１１は、請求項１または２または３記載のプッシュプル型電気錠１１であって、
前記第１表面２７に施解錠状態を表示する状態表示部６５が設けられることを特徴とする。
【００１３】
このプッシュプル型電気錠１１では、現在の施解錠状態がハンドル部１５に近接したベース部１３の状態表示部６５に例えばイルミネーション表示され、施解錠操作のためのハンドル部１５へのアプローチの間、視野から外れることなく、状態表示部６５を見続けることができる。
【００１４】
本発明の請求項５記載のプッシュプル型電気錠１１は、請求項１，２，３，４のいずれか１つに記載のプッシュプル型電気錠１１であって、
前記第１表面２７に施解錠ボタン６７が設けられていることを特徴とする。
【００１５】
このプッシュプル型電気錠１１では、施解錠ボタン６７による解錠操作と、ハンドル部１５による開扉操作とが近接位置で行え、片手による解錠開扉操作が可能となる。
【発明の効果】
【００１６】
本発明に係る請求項１記載のプッシュプル型電気錠によれば、ベース部に揺動自在なハンドル部を、同一の電気錠表面でベース部に一体的に設け、かつ、電装品をベース部に収容することで、簡素な構造とすることができ、扉への組み付け等が容易となる。また、ベース部に電装品が収容される構造とされることで、断線などの虞が無く耐久性を高めることが可能となる。さらに、ベース部の内方に電装品が収容されるので、外観形状の制約が少なくなり、デザインの自由度を向上させることができる。
【００１７】
本発明に係る請求項２記載のプッシュプル型電気錠によれば、ベース部とハンドル部とが同一平面に一体に纏められ、あたかも一つの操作用取手のような外観となり、すっきりとしたデザインにできる。
【００１８】
本発明に係る請求項３記載のプッシュプル型電気錠によれば、電池の収容スペースを別途に確保する必要がなく、構造を簡素にでき、組み付け性、メンテナンス性、電池交換性等を良好にでき、且つ、デザイン性を向上させることができる。
【００１９】
本発明に係る請求項４記載のプッシュプル型電気錠によれば、ハンドル部に近接した状態表示部によって施解錠状態が容易に確認でき、操作感を良好にできる。
【００２０】
本発明に係る請求項５記載のプッシュプル型電気錠によれば、ハンドル部に近接した施解錠ボタンによって施解錠操作性を向上させることができる。
【図面の簡単な説明】
【００２１】
【図１】本発明に係るプッシュプル型電気錠の扉に取り付けられた状態を表す斜視図である。
【図２】図１に示したプッシュプル型電気錠の斜視図である。
【図３】図２に示したプッシュプル型電気錠の分解斜視図である。
【図４】図２に示したプッシュプル型電気錠の電池交換時の斜視図である。
【図５】図２に示したプッシュプル型電気錠のベース部に状態表示部が設けられた場合の斜視図である。
【図６】図２に示したプッシュプル型電気錠の開扉操作時の斜視図である。
【図７】ハンドル部をＬ字型とした変形例に係るプッシュプル型電気錠の斜視図である。
【図８】図７に示した変形例に係るプッシュプル型電気錠の開扉操作時の斜視図である。
【発明を実施するための形態】
【００２２】
以下、本発明に係る実施形態を図面を参照して説明する。
図１は本発明に係るプッシュプル型電気錠の扉に取り付けられた状態を表す斜視図、図２は図１に示したプッシュプル型電気錠の斜視図、図３は図２に示したプッシュプル型電気錠の分解斜視図、図４は図２に示したプッシュプル型電気錠の電池交換時の斜視図、図５は図２に示したプッシュプル型電気錠のベース部に状態表示部が設けられた場合の斜視図、図６は図２に示したプッシュプル型電気錠の開扉操作時の斜視図である。
本実施形態に係るプッシュプル型電気錠１１は、ベース部１３と、ハンドル部１５と、操作空間部１７と、を備え、扉面に取り付けられる。扉面は、室内扉面１９または室外扉面２１の双方であってよい。上述したように、プッシュプル型電気錠１１は、扉２３の開扉方向とハンドル部１５の操作方向が同じとなる。従って、室内扉面１９と室外扉面２１とに取り付けられるプッシュプル型電気錠１１ではハンドル部１５の可動方向が異なっており、例えば、閉扉状態から室外へ扉が開放する構成とした場合、室外からのハンドル部１５の操作は引く操作となり、ハンドル部１５の揺動先端部４９は扉面から離間する可動方向となり、一方、室内からのハンドル部１５の操作は押す操作となり、ハンドル部１５の揺動先端部４９は扉面に近接する可動方向となる。
【００２３】
ベース部１３は、扉面に固定され、扉面から浮上して扉面に沿う電気錠表面２５のうちの一部分である第１表面２７を有する。本実施形態において、ベース部１３は、上下に長い直方体状に形成され、第１表面２７は扉面と略平行とされる。
【００２４】
ベース部１３には、本実施形態では、図４に示す非接触リーダー２９及び制御基板３１が収容される。このうち、少なくとも非接触リーダー２９は、室外扉面２１に取り付けられるプッシュプル型電気錠１１、及び室内扉面１９に取り付けられるプッシュプル型電気錠１１の双方に設けられる。非接触リーダー２９は、図５に示すカード型キー３３や、合鍵３５のヘッド部３７、携帯電話などに対して信号の送受を行わせることができる。また、制御基板３１は、室内側のみに設けられる場合がある。
【００２５】
ベース部１３には図示しない電動モーターを設けることができる。電動モーターは、制御基板３１によって駆動が制御され、不図示の機構部を作動させることにより、扉に設けられる錠箱５１のデッドボルトの進退を行わせたり、図１に示すラッチボルト３９の後退を制限または許容したりして施解錠を行わせたりすることができる。
【００２６】
プッシュプル型電気錠１１は、非接触リーダー２９、制御基板３１、電動モーターによって、例えばカード型キー３３、所謂スマートキー等を携帯することにより、非接触リーダー２９に近づくだけで施解錠を可能にすることができる。また、合鍵３５を取り出さず、合鍵３５を意識せずに入退出が可能とする構成も可能である。
【００２７】
ベース部１３にはハンドル部１５が設けられる。ハンドル部１５は、電気錠表面２５のうち第１表面２７を除いた他部分である第２表面４１を有し図３に示す揺動軸４３によってベース部１３に揺動自在に支持される。本実施形態において、ハンドル部１５は、正面視において略Ｔ字型に形成される。ハンドル部１５の裏面４５には小板状の揺動杆４７が垂直に突設され、揺動杆４７は上下に貫通する揺動軸４３によってベース部１３に回転自在に支持される。
【００２８】
プッシュプル型電気錠１１では、ハンドル部１５の揺動軸４３と反対側の揺動先端部４９がベース部１３から扉面に沿う方向に突出される。これにより、扉面と揺動先端部４９との間には、図１に示した操作空間部１７が確保されている。操作者は、この操作空間部１７に手指を挿入しながらハンドル部１５の揺動先端部４９を掴み、扉２３が室外側に開く構成の室外扉面２１に取り付けられるプッシュプル型電気錠１１の場合では引っ張る方向に操作する。ベース部１３には、このハンドル部１５の作動を、扉２３に内蔵された錠箱５１（図１参照）へ伝達する図示しない機構部が設けられる。機構部からの操作力の入力された錠箱５１は、例えば扉２３の木口５３から突出するラッチボルト３９を木口５３から錠箱内へ後退可能にして、開扉を可能とする。
【００２９】
ハンドル部１５は、操作されることによって、図６に示すように第２表面４１が第１表面２７に対して変位する、すなわち、室外扉面２１に取り付けられるプッシュプル型電気錠１１では浮き上がる。この変位量は、図６に示すように、揺動先端部４９の厚みよりも小さい量が好ましく、具体的には、数度の角度範囲となるよう設定される。これにより、指の挟まれることがないように構成されている。また、ベース部１３と揺動先端部４９との双方の境界部分は、斜面５５（図３参照）によって形成される。この斜面５５は、平面の他、好ましくは揺動軸４３を中心した回転方向の軌跡に沿う曲面となる。これにより、ハンドル部１５の操作前と操作後の状態であっても、ベース部１３とハンドル部１５との間に隙間の生じることが防止されている。
【００３０】
本実施形態において、プッシュプル型電気錠１１は、図２に示すように、ベース部１３とハンドル部１５との第１表面２７と第２表面４１とが同一平面となる。また、これら第１表面２７と第２表面４１との電気錠表面２５が四角形となる。本実施形態では、電気錠表面２５にはチェック柄が付されている。これは、ハンドル部１５がＴ字型であることをカモフラージュした場合のデザインとするためのものである。
【００３１】
ベース部１３の内方には、図４に示すように、複数の電池５７を収容可能とする電池ボックス５９が配置される。この電池ボックス５９は、室内扉面１９に取り付けられるプッシュプル型電気錠１１のみに設けられる。室外扉面２１に取り付けられるプッシュプル型電気錠１１には電池ボックス５９からの給電配線が接続される。電池ボックス５９には蓋６１が設けられ、蓋６１は第１表面２７の一部分となる。蓋６１は、ベース部１３に対して着脱または回転開閉されることで、電池ボックス５９の電池収容スペース６３を開放または閉鎖する。なお、電池ボックス５９の蓋６１は、図例のように正面に限らず、ベース部１３の側方から着脱や開閉されるものであってもよい。
【００３２】
ベース部１３の第１表面２７には、施解錠状態を表示する図５に示す状態表示部６５が設けられる。状態表示部６５は、室外扉面２１に取り付けられるプッシュプル型電気錠１１、及び室内扉面１９に取り付けられるプッシュプル型電気錠１１の双方に設けられる。状態表示部６５は、電気錠表面２５のデザインの一部分となるように、例えば区画されている一部が光るよう構成される。より具体的には、施錠状態をブルーやグリーンに光らせ、解錠状態を赤く光らせる。また、施錠時や解錠時にハンドル部１５を操作すると、施錠或いは解錠していることを示すよう光らせることとしてもよい。さらに、カードや合鍵３５を接近させると光る構成や、動作する、例えば駆動源であるモーターが動くと光るなどとすることができる。また、上記した区画部分が光るだけではなく、例えば、図形や文字が透けて光って見えるように構成し、視認性を良好とすることとしてもよい。
【００３３】
また、ベース部１３の第１表面２７には、施解錠ボタン６７が設けられていてもよい。この施解錠ボタン６７は、操作する、例えば押すことによって、錠箱５１に対して施錠または解錠を行なえるようにする。例えば上記のカード型キー３３を携帯しているときに室外扉面２１に設けられるプッシュプル型電気錠１１の施解錠ボタン６７を押すことで施錠或いは解錠することも可能となる。
【００３４】
次に、上記構成を有するプッシュプル型電気錠１１の作用を説明する。
プッシュプル型電気錠１１では、ベース部１３とハンドル部１５との二部品に大別構成することができ、電気錠に対応させるための電装品、例えば非接触リーダー２９や制御基板３１を別体構成として設ける必要がなく、構造が複雑とならない。
【００３５】
また、電装品がベース部１３に収容されるので、電装品がハンドル部１５に設けられる場合に比べ、断線や動作不良が生じ難くなる。さらに、ベース部１３の内方に電装品が収容されるので、ベース部１３の外側に電装品が付設される場合に比べ、外観形状の制約が少なくなる。
【００３６】
また、プッシュプル型電気錠１１は、一つの同一平面からなる電気錠表面２５が、ベース部１３の露出面となる第１表面２７と、ハンドル部１５の露出面となる第２表面４１とに区分され、一見では単一部材の表面となる。その電気錠表面２５の操作空間部１７側の第２表面４１のみを掴んで操作すれば、第２表面４１を有したハンドル部１５が、ベース部１３に対して揺動変位し、操作力がベース部１３へ入力可能となる。これにより、ベース部１３とハンドル部１５とを同一平面に一体に纏められ、あたかも一つの操作用取手のような外観となり、すっきりとしたデザインにできる。
【００３７】
また、ベース部１３の露出面である第１表面２７の一部分が電池ボックス５９の蓋６１となり、この蓋６１が開けられることで、ベース部１３の内方に確保された電池ボックス５９の電池収容スペース６３が開放される。電池５７を電池収容スペース６３に収容した電池ボックス５９は、蓋６１によって覆われることで、外観から存在が分からなくなる。これにより、電池５７の収容スペースを別途に確保する必要がなく、構造を簡素にでき、組み付け性、メンテナンス性、電池交換性等を良好にでき、且つ、デザイン性を向上させることができる。
【００３８】
また、現在の施解錠状態がハンドル部１５に近接したベース部１３の状態表示部６５に例えばイルミネーション表示され、施解錠操作のためのハンドル部１５へのアプローチの間、視野から外れることなく、状態表示部６５を見続けることができる。これにより、ハンドル部１５に近接した状態表示部６５によって施解錠状態が容易に確認でき、操作感を良好にできる。
【００３９】
さらに、施解錠ボタン６７による解錠操作と、ハンドル部１５による開扉操作とが近接位置で行え、片手による解錠開扉操作が可能となる。これにより、ハンドル部１５に近接した施解錠ボタン６７によって施解錠操作性を向上させることができる。
【００４０】
図７はハンドル部６９をＬ字型とした変形例に係るプッシュプル型電気錠７１の斜視図、図８は図７に示した変形例に係るプッシュプル型電気錠７１の開扉操作時の斜視図である。
上述した実施形態では、ハンドル部１５をＴ字型としたプッシュプル型電気錠１１の場合を例に図１〜図６にて説明したが、図７，図８に示すように、プッシュプル型電気錠７１は、ハンドル部６９をＬ字型として構成してもよい。
ハンドル部６９をＬ字型としたプッシュプル型電気錠７１によれば、上記と同様の作用効果が奏されるとともに、ハンドル部６９を小型化でき、プッシュプル型電気錠７１のコンパクト化が可能となる。
【００４１】
従って、本実施形態に係るプッシュプル型電気錠１１によれば、ベース部１３に揺動自在なハンドル部１５を、同一の電気錠表面２５でベース部１３に一体的に設け、かつ、電装品をベース部１３に収容することで、簡素な構造で耐久性を高めることができるとともに、デザインの自由度を向上させることができる。
【００４２】
なお、本発明に係るプッシュプル型電気錠１１は、ベース部１３の前面を開閉自在の蓋カバー（図示せず）として、シリンダ錠の鍵穴を配置させてもよい。このような構成によれば、例えば、電気的な施解錠動作に加え、マニュアル操作として合鍵を用いた施解錠を行なうことも可能となる。また、同様に蓋カバーを開閉可能な構成とすることで、ベース部１３内の電装品を出し入れ可能とする構成とすることができ、制御基盤の交換などメンテナンス性を向上することができる。
【符号の説明】
【００４３】
１１…プッシュプル型電気錠
１３…ベース部
１５…ハンドル部
１７…操作空間部
１９…扉面（室内扉面）
２１…扉面（室外扉面）
２５…電気錠表面
２７…第１表面
２９…非接触リーダー
４１…第２表面
４３…揺動軸
４９…揺動先端部
５９…電池ボックス
６５…状態表示部
６７…施解錠ボタン
【図１】
2014037747.tif 000003
【図２】
2014037747.tif 000004
【図３】
2014037747.tif 000005
【図４】
2014037747.tif 000006
【図５】
2014037747.tif 000007
【図６】
2014037747.tif 000008
【図７】
2014037747.tif 000009
【図８】
2014037747.tif 000010